(57)【要約】【課題】吸入口が電気掃除機本体に形成されてカバーと本体の固定/分離構造が簡略化された電気掃除機を提供する。【解決手段】本発明は、電気掃除機であって、本体に形成されている吸入口と、前記本体内に画定されている集塵室を覆うように、前記本体に回動可能にヒンジ結合されているカバーと、前記吸入口の周囲に設置され、前記カバーを解除可能に固定させる固定ユニットとを含む。【選択図】図３
2005185840.tif 000002
【特許請求の範囲】
【請求項１】
電気掃除機であって、
本体に形成されている吸入口と、
前記本体内に画定されている集塵室を覆うように、前記本体に回動可能にヒンジ結合されているカバーと、
前記吸入口の周囲に設置され、前記カバーを解除可能に固定させる固定ユニットとを含むことを特徴とする電気掃除機。
【請求項２】
前記固定ユニットは前記吸入口の両側に配置される一対の固定部材と、前記固定部材の間に設けられた前記固定部材を外側に付勢させる弾性部材とを備え、前記固定部材はそれぞれ外側に突出した係合突起が形成され、
前記カバーは略Ｕ字状の断面を有する外観部と係止部材とを備え、前記係止部材は前記外観部の両側部を貫通して外部に突出した一対のボタン部と前記外観部の内側で前記ボタン部からそれぞれ延長する一対の押圧部とから構成され、前記外観部はその両側部から内側に突出した一対の突出部を備え、
前記集塵室を覆うように前記カバーが閉まる場合、前記外観部の突出部が前記固定部材の係合突起により係止されることを特徴とする請求項１に記載の電気掃除機。
【請求項３】
電気掃除機であって、
集塵室がその内部に画定されている本体と、
前記集塵室を覆うカバーと、
前記カバーと前記本体とを回動可能に結合させ、前記カバーと前記本体が互いに異なる２つのヒンジ軸線を中心に回動されるようにする回動リンクとを含むことを特徴とする電気掃除機。
【請求項４】
前記回動リンクは、カバー結合部と前記結合部から略Ｌ字状に延長する本体結合部とを備え、前記カバーは前記回動リンクのカバー結合部に前記ヒンジ軸線の１つを中心に回動可能にヒンジ結合され、前記回動リンクの本体結合部は前記ヒンジ軸線の他１つを中心に回動するように前記本体にヒンジ結合されることを特徴とする請求項３に記載の電気掃除機。
【請求項５】
前記回動リンクの本体結合部はその端部にヒンジ軸が備えられ、前記本体結合部のヒンジ軸は前記本体の結合溝内にヒンジ結合されることを特徴とする請求項４に記載の電気掃除機。
【請求項６】
前記本体の結合溝の両側壁には波状の凹部が形成され、前記回動リンクの本体結合部の両側端が前記結合溝の両側壁に形成されている波状の凹部と摩擦結合されることを特徴とする請求項５に記載の電気掃除機。
【請求項７】
電気掃除機であって、
本体に形成されている吸入口と、
前記本体内に画定されている集塵室を覆うように、前記本体に回動可能にヒンジ結合されているカバーと、
前記吸入口の周囲に設置され、前記カバーを解除可能に固定させる固定ユニットと、
前記カバーと前記本体とを回動可能に結合させ、前記カバーと前記本体が互いに異なる２つのヒンジ軸線を中心に回動されるようにする回動リンクとを含むことを特徴とする電気掃除機。
【請求項８】
前記固定ユニットは前記吸入口の両側に配置される一対の固定部材と、前記固定部材の間に設けられた前記固定部材を外側に付勢させる弾性部材とを備え、前記固定部材はそれぞれ外側に突出した係合突起が形成され、
前記カバーは略Ｕ字状の断面を有する外観部と係止部材とを備え、前記係止部材は前記外観部の両側部を貫通して外部に突出した一対のボタン部と前記外観部の内側で前記ボタン部からそれぞれ延長する一対の押圧部とから構成され、前記外観部はその両側部から内側に突出した一対の突出部を備え、
前記集塵室を覆うように前記カバーが閉まる場合、前記外観部の突出部が前記固定部材の係合突起により係止されることを特徴とする請求項７に記載の電気掃除機。
【請求項９】
前記回動リンクはカバー結合部と前記結合部から略Ｌ字状に延長する本体結合部とを備え、前記カバーは前記回動リンクのカバー結合部に前記ヒンジ軸線の１つを中心に回動可能にヒンジ結合され、前記回動リンクの本体結合部は前記ヒンジ軸線の他１つを中心に回動するように前記本体にヒンジ結合されることを特徴とする請求項７に記載の電気掃除機。
【請求項１０】
前記回動リンクの本体結合部はその端部にヒンジ軸が備えられ、前記本体結合部のヒンジ軸は前記本体の結合溝内にヒンジ結合されることを特徴とする請求項９に記載の電気掃除機。
【請求項１１】
前記本体の結合溝の両側壁には波状の凹部が形成され、前記回動リンクの本体結合部の両側端が前記結合溝の両側壁に形成されている波状の凹部と摩擦結合されることを特徴とする請求項１０に記載の電気掃除機。
【発明の詳細な説明】
【技術分野】
【０００１】
本発明は、電気掃除機に関し、より詳しくは、吸入口が本体に形成されている電気掃除機の新規なカバー固定/分離構造及びカバーヒンジ結合構造に関する。
【背景技術】
【０００２】
一般に、電気掃除機（ｖａｃｕｕｍ  ｃｌｅａｎｅｒ）はその内部に設置されているモータの駆動により回転されるファンの吸引力を利用して、例えば床の塵埃を空気とともに吸入して、塵埃をファンの前方に備えられている集塵袋で捕集した後、空気はその電気掃除機の後方へ排出することによって、室内の掃除をする装置である。
【０００３】
このような従来の電気掃除機は、図１に示すように、電気掃除機本体１１０と、前記電気掃除機本体１１０に開閉可能に設置されるカバー１２０とを備える。
【０００４】
カバー１２０は本体１１０の上部にヒンジ結合され、カバー１２０には空気吸入管１３０が連結される。
【０００５】
また、電気掃除機本体１１０は駆動モータ(図示せず)が設置されるモータ駆動室と、空気吸入管１３０を通して吸入される空気中に含まれている塵埃などを集塵するための塵埃袋１５０、またはサイクロン集塵装置などが設置される集塵室１１４を有する。
【０００６】
塵埃袋１５０が塵埃で一杯になると、塵埃袋１５０を取り替えるか、空にしなければならない。そのために、前記集塵室１１４を覆っているカバー１２０を、図１に示すように略垂直状態で開放した後、塵埃袋１５０を除去する。
【０００７】
しかし、このような従来の電気掃除機においては、空気吸入管１３０がカバー１２０に形成されている吸入口に連結されるので、空気吸入管１３０に提供されているスイッチなどの電装品が本体１１０と連結される配線構造のため、カバー１２０と本体１１０との相互の結合固定構造が複雑になるという問題点があった。
【０００８】
また、図１に示すように、カバー１２０が開放されている状態で、ユーザはカバー１２０から手を離して塵埃袋１５０を集塵室１１４から除去する作業を行うが、このとき、カバー１２０が自重により閉まったりして、不便であった。更に、ユーザが無理してカバー１２０を開けようとする場合、カバーが電気掃除機本体１１０にぶつかったり、分離されたりする問題点があった。
【発明の開示】
【発明が解決しようとする課題】
【０００９】
したがって、本発明はこのような従来の問題点を解決するためになされたもので、その目的は、吸入口が電気掃除機本体に形成されてカバーと本体の固定/分離構造が簡略化された電気掃除機（ｖａｃｕｕｍ  ｃｌｅａｎｅｒ）を提供することにある。
【００１０】
また、本発明の他の目的は、カバーが互いに異なる二重ヒンジ軸線を中心に本体に対して回動されることに加え、カバーが開放されている状態でカバーが自然に閉まることが防止された、カバーヒンジ結合構造を有する電気掃除機を提供することにある。
【課題を解決するための手段】
【００１１】
上記目的を達成するために、本発明の一様態による電気掃除機は、本体に形成されている吸入口と、前記本体内に画定されている集塵室を覆うように、前記本体に回動可能にヒンジ結合されているカバーと、前記吸入口の周囲に設置され、前記カバーを解除可能に固定させる固定ユニットとを含むことを特徴とする。
【００１２】
また、本発明の他の様態による電気掃除機は、集塵室がその内部に画定されている本体と、前記集塵室を覆うカバーと、前記カバーと前記本体とを回動可能に結合させ、前記カバーと前記本体が互いに異なる２つのヒンジ軸線を中心に回動されるようにする回動リンクとを含むことを特徴とする。
【００１３】
更に、本発明の他の様態による電気掃除機は、本体に形成されている吸入口と、前記本体内に画定されている集塵室を覆うように、前記本体に回動可能にヒンジ結合されているカバーと、前記吸入口の周囲に設置され、前記カバーを解除可能に固定させる固定ユニットと、前記カバーと前記本体とを回動可能に結合させ、前記カバーと前記本体が互いに異なる２つのヒンジ軸線を中心に回動されるようにする回動リンクとを含むことを特徴とする。
【発明の効果】
【００１４】
本発明によれば、電気掃除機は本体とカバーの固定/分離構造が簡略化され、更にカバーが開放されている状態でカバーが自然に閉まってしまうことを防止できるという効果を奏する。
【発明を実施するための最良の形態】
【００１５】
以下、添付の図面に基づいて本発明による好適な実施形態について詳細に説明する。
【００１６】
先ず、図２Ａを参照すると、カバー５が開放されている本発明の電気掃除機を示しているが、電気掃除機本体１とカバー５とを連結する回動リンク２０が分離されて示されている。
【００１７】
電気掃除機本体１の前方には、空気吸引管(図示せず)が連結される吸入口２が形成され、前記吸入口２の後方には塵埃袋、またはサイクロン集塵器が受容される集塵室４が画定されている。
【００１８】
集塵室４を覆うように、カバー５が電気掃除機本体１に回動リンク２０を通して回動可能に結合されている。塵埃袋またはサイクロン集塵器を電気掃除機本体１から除去する際には、カバー５を図２Ａに示すように、開放して除去するようになっている。
【００１９】
吸入口２の外周部にはカバー５を、集塵室４を覆った状態に維持するための固定部材３０が設置されている。
【００２０】
以下、図２Ｂ及び図３を参照して、カバー５と固定部材３０の構造及びこれらの結合及び分離作動について説明する。図２Ｂは、互いに固定されている固定部材３０とカバー５を一部切り取って示す図であり、図３はカバー５と固定部材３０の結合状態を示す断面図である。
【００２１】
固定部材３０は吸入口２の両側に配置され、略中央部に外側に突出した係合突起３２が形成されている。固定部材３０は略上端を中心に回動可能にその上端が固定部材ホルダ３０Ａにより固定されており、両側固定部材３０の下端の間には弾性部材、例えば圧縮バネ１８が介在している。この圧縮バネ１８により固定部材３０は、上端を中心に外側にストッパ３０Ｂに対して付勢されている。
【００２２】
カバー５は、固定部材ホルダ３０Ａの外周面に当接する密閉部６と、その両下端部から内側に突出する突出部５Ａ’を有する外観部５Ａと、密閉部６と外観部５Ａとの間に設けられた係止部材１０とから構成される。密閉部６、外観部５Ａ及び係止部材は、略Ｕ字状の断面を有する。
【００２３】
係止部材１０は外観部５Ａの開口を通して外部に突出されるボタン部１４と、ボタン部１４から外観部５Ａの内側に下方に延長する押圧部１２とから構成される。
【００２４】
集塵室４を覆うようにカバー５が閉まる場合、カバー５の外観部５Ａの突出部５Ａ’が固定部材３０の係合突起３２を内側に加圧し、これにより係止部材３０が圧縮バネ１８の付勢力に対抗して内側へ移動される。これによって、カバー５の外観部５Ａの突出部５Ａ’が係合突起３２を過ぎて下方へ移動し、係合突起３２の下側に位置するストッパ３０Ｂに当接するようになる。このとき、固定部材３０は圧縮バネ１８の付勢力により再び外側へ移動して、突出部５Ａ’が係合突起３２により係止され、カバー５が上方へ移動することが防止される。このようにして、カバー５が固定部材３０により固定される。
【００２５】
集塵室４を開放するためにカバー５が開放される場合、ユーザがカバー５の外観部５Ａの外側に突出されているボタン部１４を内側に押すと、ボタン部１４と一体形成された押圧部１２が内側へ移動しながら固定部材３０の係合突起３２の上端を加圧する。これにより、固定部材３０が圧縮バネ１８の付勢力に対抗して内側へ移動すると、係合突起３２と突出部５Ａ’の結合が解除されてカバー５が上方へ移動できる状態になる。このような状態で、ユーザはカバー５を上側に回動させて集塵室４を開放する。
【００２６】
以下、図４Ａ及び図４Ｂを参照しながら、本発明によるカバー５と電気掃除機本体１との結合構造を説明する。図４Ａはカバー５と電気掃除機本体との結合部分を示す部分斜視図であり、図４Ｂは図４Ａの一部を拡大して示す部分拡大斜視図である。
【００２７】
カバー５は、略Ｌ字状からなる回動リンク２０(図２Ａ参照)のカバー結合部２０Ａの上側両端に備えられているカバーヒンジ軸２２に回動可能にヒンジ結合される。回動リンクの本体結合部２０Ｂは、カバー結合部２０Ａの下側両端から略Ｌ字状に延長され、その端部には本体ヒンジ軸２４が備えられる。回動リンク２０の本体結合部２０Ｂの本体ヒンジ軸２４は、本体１に形成されている結合溝１５にそれぞれヒンジ結合される。本体１の結合溝１５のそれぞれの両側壁には波状の凹部が形成されて、回動リンク２０の本体結合部２０Ｂの両側端が結合溝１５の両側壁に形成されている波状の凹部と摩擦結合されることによって、カバー５が開放されている場合にカバー５が自重により自然に閉まることが防止される。
【００２８】
集塵室４を開放するようにカバー５が回動される場合、カバー５は回動リンク２０のカバー結合部２０Ａのカバーヒンジ軸２２を中心とする回動及び本体結合部２０Ｂの本体ヒンジ軸２４を中心とする回動により開放される。例えば、回動リンク２０が本体結合部２０Ｂの本体ヒンジ軸２４を中心に回動しながら、または回動された後にカバー５が回動リンク２０のカバー結合部２０Ａのカバーヒンジ軸２２を中心に更に回動する方式でカバー５が完全に開放される状態になる。このように、カバー５は互いに異なる２つのヒンジ軸２２、２４を中心に多段階に開放される。
【００２９】
このように、本発明によれば、新規なカバー固定/分離構造及びカバーヒンジ結合構造が提供されている。
【図面の簡単な説明】
【００３０】
【図１】カバーが開放された従来の電気掃除機の斜視図である。
【図２Ａ】回動リンクが分離された本発明による電気掃除機の斜視図である。
【図２Ｂ】互いに固定されたカバーと固定部材の一部を切り取った斜視図である。
【図３】本発明によるカバー固定/分離構造の断面図である。
【図４Ａ】ヒンジ結合されたカバー及び本体を示す部分斜視図である。
【図４Ｂ】図４Ａの一部分に対する部分拡大図である。
【符号の説明】
【００３１】
１０  係止部材
１２  押圧部
１４  ボタン部
１５  結合溝
１８  弾性部材
２０  回動リンク
２０Ａ  カバー結合部
２０Ｂ  本体結合部
２２  カバーヒンジ軸
２４  本体ヒンジ軸
３０  固定部材
３２  係合突起
【図１】
2005185840.tif 000003
【図２Ａ】
2005185840.tif 000004
【図２Ｂ】
2005185840.tif 000005
【図３】
2005185840.tif 000006
【図４Ａ】
2005185840.tif 000007
【図４Ｂ】
2005185840.tif 000008